(57)【要約】【課題】外周リブに固着されるシール材の破損を防止できる弁当用容器を提供すること。【解決手段】弁当用容器１は、一枚の湾曲したシート状の合成樹脂製とし、冷凍した食材を収納可能として、底壁５ａまで下狭まり状に下方へ凹む皿状凹部５を、仕切り用リブ１０を隔てて、複数並設させて構成されるとともに、食材を覆うように、外周縁の上方へ突出する外周リブ３の上面３ａに、シール材を固着させて、冷凍貯蔵される。この弁当用容器１では、食事の際、容器ごと、電子レンジで加熱されるように使用される。この弁当用容器１には、一つの皿状凹部６の周囲の全周を外周リブ３とともに囲み、かつ、外周リブ３に連なる仕切り用リブ１０が、上面１１ａの全面を外周リブ３の上面３ａと高さを等しくして形成されて、弁当用容器１を積み重ねた際の支柱用リブ１１と兼用として、配設されている。【選択図】図１
0003165675.tif 000002
【実用新案登録請求の範囲】
【請求項１】
一枚の湾曲したシート状として形成される合成樹脂製の弁当用容器で、かつ、
冷凍した食材を収納可能として、底壁まで下狭まり状に下方へ凹む皿状凹部を、仕切り用リブを隔てて、複数並設させて構成されるとともに、前記食材を覆うように、外周縁の上方へ突出する外周リブの上面に、シール材を固着させて、冷凍貯蔵され、
前記食材を食す際、容器ごと、電子レンジで加熱されるように使用される弁当用容器であって、
一つの前記皿状凹部の周囲の全周を、前記外周リブの一部とともに囲み、かつ、前記外周リブに連なる前記仕切り用リブが、上面の全面を前記外周リブの上面と高さを等しくし、前記外周リブから分岐するように形成されて、前記弁当用容器を積み重ねた際の支柱用リブと兼用として、配設されていることを特徴とする弁当用容器。
【請求項２】
前記支柱用リブが、平面視として逆Ｌ字状若しくはＬ字状に形成されるとともに、前記Ｌの字の縦棒と横棒との交差部位を、前記外周リブで囲まれるエリアの中心付近に配置させて、配設されていることを特徴とする請求項１に記載の弁当用容器。
【請求項３】
前記各皿状凹部が、底壁における外周縁から離れた中央付近を上方に隆起させ、かつ、隆起させた上面を平らにさせる底上げ部、を設けて構成されていることを特徴とする請求項１若しくは請求項２に記載の弁当用容器。
【請求項４】
前記外周リブが、略長方形の環状に形成されて、前記弁当用容器の平面視が長方形形状として構成されるとともに、
前記皿状凹部が、開口面積を大きくした大皿状凹部と、該大皿状凹部より開口面積を小さくした中皿状凹部と、該中皿状凹部より開口面積を小さくした複数の小皿状凹部と、から構成され、
前記支柱用リブが一つとして、
前記支柱用リブで囲まれる皿状凹部が、前記大皿状凹部とし、長方形形状の開口を設けて、前記弁当用容器の平面視の長方形形状における四つの隅部の内の一つの隅部側に、配置され、
前記中皿状凹部が、長方形形状の開口を設けて、前記弁当用容器の平面視の長方形形状における四つの隅部の内の前記大皿状凹部を設けた隅部と対角となる隅部側に、配置され、
複数の前記小皿状凹部が、前記弁当用容器の平面視の長方形形状における四つの隅部の内の、前記大皿状凹部と前記中皿状凹部とを設けた両隅部を連結する対角線とクロスする対角線上の二つの隅部側に、配置されていることを特徴とする請求項２乃至請求項３のいずれか１項に記載の弁当用容器。
【請求項５】
前記外周リブが、略長方形の環状に形成されて、前記弁当用容器の平面視が長方形形状として構成され、
前記支柱用リブが、二つとして、前記弁当用容器の平面視の長方形形状における一方の長辺側で隣接する両隅部を、それぞれ、囲うように、配設され、
二つの前記支柱用リブの間に、前記支柱用リブで囲まれる皿状凹部より小さな開口面積とした少なくとも一つの中間皿状凹部が、介在されるとともに、
前記弁当用容器の平面視の長方形形状における他方の長辺側で、前記支柱用リブと隣接して、前記支柱用リブで囲まれる皿状凹部より小さな開口面積とした少なくとも三つの外縁側皿状凹部が、前記弁当用容器の平面視の長方形形状における他方の長辺に沿って、並設されていることを特徴とする請求項２乃至請求項３のいずれか１項に記載の弁当用容器。
【請求項６】
前記支柱用リブで囲まれる皿状凹部が、一つ、若しくは、二つとして、ご飯類の主食を収納する部位として形成されていることを特徴とする請求項１乃至請求項５のいずれか１項に記載の弁当用容器。
【考案の詳細な説明】
【技術分野】
【０００１】
本考案は、一枚の湾曲したシート状として形成される合成樹脂製の弁当用容器に関し、特に、冷凍した各種食材をそれぞれ皿状凹部に収納し、食材を食す際に、容器ごと、電子レンジで加熱して、食材を食すように使用する弁当用容器に関する。
【背景技術】
【０００２】
従来、弁当用容器としては、一枚の湾曲したシート状として形成されるポリプロピレン等の合成樹脂製として、冷凍した食材を収納可能として、底壁まで下狭まり状に下方へ凹む皿状凹部を、仕切り用リブを隔てて、複数並設させて構成されていた（例えば、特許文献１，２参照）。この弁当用容器では、食材を覆うように、外周縁の上方へ突出する外周リブの上面に、シール材を固着させて、冷凍貯蔵され、そして、食材を食す際には、容器ごと、電子レンジで加熱解凍し、シール材を剥がして、食材を食していた。
【先行技術文献】
【特許文献】
【０００３】
【特許文献１】意匠登録第１１４２５７９号公報
【特許文献２】特開平１１−３１４６８３号公報
【考案の概要】
【考案が解決しようとする課題】
【０００４】
しかし、従来の弁当用容器では、貯蔵時、積み重ねられて収納される場合があり、その際、上方に載った弁当用容器がずれれば、下方の弁当用容器に固着させたシール材に荷重がかかり、シール材が破れ、さらに、食材が潰されてしまう虞れがある。
【０００５】
特に、弁当用容器が、複数の食材を収納できるように、食材を収納する皿状凹部を、多数並設させていれば、外周リブで囲まれる弁当用容器自体の開口が大きくなって、一層、外周リブに固着させたシール材の面積が大きくなって、破損し易くなってしまう。
【０００６】
本考案は、上述の課題を解決するものであり、外周リブに固着されるシール材の破損を防止できる弁当用容器を提供することを目的とする。
【課題を解決するための手段】
【０００７】
本考案に係る弁当用容器は、一枚の湾曲したシート状として形成される合成樹脂製の弁当用容器で、かつ、
冷凍した食材を収納可能として、底壁まで下狭まり状に下方へ凹む皿状凹部を、仕切り用リブを隔てて、複数並設させて構成されるとともに、食材を覆うように、外周縁の上方へ突出する外周リブの上面に、シール材を固着させて、冷凍貯蔵され、
食材を食す際、容器ごと、電子レンジで加熱されるように使用される弁当用容器であって、
一つの皿状凹部の周囲の全周を、外周リブの一部とともに囲み、かつ、外周リブに連なる仕切り用リブが、上面の全面を外周リブの上面と高さを等しくし、外周リブから分岐するように形成されて、弁当用容器を積み重ねた際の支柱用リブと兼用として、配設されていることを特徴とする。
【０００８】
本考案に係る弁当用容器では、各皿状凹部内に食材を収納して、外周リブの上面にシール材を固着させ、そして、冷凍して、積み上げても、支柱用リブが配設されている。そのため、外周リブから離れたシール材の部位に、上方側の弁当用容器の荷重がかかっても、支柱用リブで支持される分、シール材の下方への落ち込みが抑制され、シール材の破れを防止できて、食材を潰すことを防止できる。
【０００９】
したがって、本考案に係る弁当用容器では、外周リブに固着されるシール材の破損を防止することができる。
【００１０】
また、支柱用リブの上面が、外周リブの上面から連なるように、シール材に対して接触しており、支柱用リブで囲まれた皿状凹部に収納された食材が、支柱用リブ、外周リブ、及び、シール材によって、密封された状態に近似した状態となり、加熱解凍する際、支柱用リブで囲まれた皿状凹部と、これに隣接する皿状凹部と、の食材の臭いの行き来を、極力、抑制することができる。
【００１１】
そして、本考案に係る弁当用容器では、支柱用リブを、平面視として逆Ｌ字状若しくはＬ字状に形成するとともに、Ｌの字の縦棒と横棒との交差部位を、外周リブで囲まれるエリアの中心付近に配置させて、配設することが望ましい。
【００１２】
このような構成では、支柱用リブが、外周リブで囲まれた弁当用容器の全体の開口において、中心付近から放射状の相互に直交方向の二方向に延びるように、配設され、安定して、外周リブに固着されたシール材を、障子の桟のように、下面側から支持することができる。そして、この支柱用リブは、各皿状凹部の仕切り用リブの全てでなく、弁当用容器の開口の略１／４程度のエリアを囲むように、配設されるだけであり、収納する食材を、全て高い支柱用リブで囲うものではないことから、食す際の食材が見易く、食欲を阻害せず、また、食事中の食材の残りも把握し易くなって、食べ残しを防止し易い。
【００１３】
さらに、本考案に係る弁当用容器では、各皿状凹部に、底壁における外周縁から離れた中央付近を上方に隆起させ、かつ、隆起させた上面を平らにさせる底上げ部、を設けて構成することが望ましい。
【００１４】
このように構成されていれば、各皿状凹部に収納した食材における電子レンジで加熱され難い中央を、底上げ部により、上方に持ち上げて浅くすることができて、加熱し易くなり、各皿状凹部に収納された食材を、それぞれ、中央付近や外周縁付近との加熱状態にバラツキを生じさせずに、均等に加熱することができる。また、底上げ部は、各皿状凹部の剛性を向上させることにも、寄与できる。
【００１５】
さらに、本考案に係る弁当用容器では、外周リブを、略長方形の環状に形成して、弁当用容器の平面視を長方形形状として構成するとともに、
皿状凹部を、開口面積を大きくした大皿状凹部と、大皿状凹部より開口面積を小さくした中皿状凹部と、中皿状凹部より開口面積を小さくした複数の小皿状凹部と、から構成し、
支柱用リブを一つとして、
支柱用リブで囲まれる皿状凹部を、大皿状凹部とし、長方形形状の開口を設けて、弁当用容器の平面視の長方形形状における四つの隅部の内の一つの隅部側に、配置させ、
中皿状凹部を、長方形形状の開口を設けて、弁当用容器の平面視の長方形形状における四つの隅部の内の大皿状凹部を設けた隅部と対角となる隅部側に、配置させ、
複数の小皿状凹部を、弁当用容器の平面視の長方形形状における四つの隅部の内の、大皿状凹部と中皿状凹部とを設けた両隅部を連結する対角線とクロスする対角線上の二つの隅部側に、配置させることが望ましい。
【００１６】
このような構成では、中皿状凹部を大皿状凹部の前後左右に隣接する場合に比べて、開口面積の大きな大皿状凹部や中皿状凹部の各々の前後左右に隣接する位置に、開口面積を小さくした小皿状凹部を隣接させて、開口面積を小さくした小皿状凹部の周囲の仕切り用リブを接近させて配設することができる。すなわち、大皿状凹部を設けた隅部に隣接する両隅部をそれぞれ囲うように、中皿状凹部や小皿状凹部の周囲の仕切り用リブが配設されて、このような仕切り用リブは、支柱用リブと外周リブとを連結し、支柱用リブ自体を補強しつつ、弁当用容器の平面視の中心を基準とした前後左右において、バランスよく配置されることとなる。その結果、支柱用リブと仕切り用リブとにより、弁当用容器の剛性（強度）のバランスがとり易くなって、弁当用容器の平面視の長方形形状における前後左右で対向する縁側の両隅部を、それぞれ、把持して、捻っても、均等に捻ることができる。換言すれば、食材を食す際に、四隅のいずれ側を持っても、撓みを抑えて弁当用容器を持ち上げることができて、安定して、食事をすることができることとなる。
【００１７】
さらにまた、本考案に係る弁当用容器では、外周リブを、略長方形の環状に形成して、弁当用容器の平面視を長方形形状として構成する場合、支柱用リブを、二つとしてもよく、この場合には、支柱用リブを、弁当用容器の平面視の長方形形状における一方の長辺側で隣接する両隅部を、それぞれ、囲うように、配設する。そして、二つの支柱用リブの間に、支柱用リブで囲まれる皿状凹部より小さな開口面積とした少なくとも一つの中間皿状凹部を、介在させるとともに、弁当用容器の平面視の長方形形状における他方の長辺側で、支柱用リブと隣接して、支柱用リブで囲まれる皿状凹部より小さな開口面積とした少なくとも三つの外縁側皿状凹部を、弁当用容器の平面視の長方形形状における他方の長辺に沿って、並設させてもよい。
【００１８】
このような構成でも、複数の外縁側皿状凹部の周囲の仕切り用リブが、弁当用容器における長方形形状の他方の長辺側の外周リブと、各支柱用リブと、を連結し、かつ、支柱用リブ相互も、中間皿状凹部の周囲の仕切り用リブにより、連結されることとなる。そのため、このような構成では、開口面積を大きくした支柱用リブで囲まれる皿状凹部が、二つ配設されても、それぞれ、外周リブで囲まれる隅部側に配置され、かつ、支柱用リブ自体が、複数の外縁側皿状凹部や中間皿状凹部の周囲の仕切り用リブにより、補強される状態となることから、弁当用容器のねじりに対する剛性を確保できて、食材を食す際に、弁当用容器の四隅のいずれ側を持っても、撓みを抑えて弁当用容器を持ち上げることができて、安定して、食事をすることができることとなる。
【００１９】
そして、本考案の弁当用容器では、支柱用リブで囲まれる皿状凹部を、一つ、若しくは、二つとして、ご飯類の主食を収納する部位として形成すれば、それらの皿状凹部に主食を収納し、他の皿状凹部に主菜や副菜を収納して冷凍貯蔵した後、加熱解凍する際、既述したように、支柱用リブで囲まれた皿状凹部と、これに隣接する皿状凹部と、の食材の臭いの行き来を、極力、抑制することができる。その結果、このような構成の弁当用容器では、加熱解凍して食材を食す際、ご飯類の主食を、主菜や副菜の臭いの影響を抑制して、食すことができる。
【図面の簡単な説明】
【００２０】
【図１】本考案における実施形態の弁当用容器の斜視図である。
【図２】実施形態の弁当用容器の平面図である。
【図３】実施形態の弁当用容器の縦断面図であり、図２のIII−III部位に対応する。
【図４】実施形態の弁当用容器の縦断面図であり、図２のIV−IV部位に対応する。
【図５】実施形態の弁当用容器の使用時の状態を示す縦断面であり、図２のＶ−Ｖ部位に対応する。
【図６】他の実施形態の弁当用容器の斜視図である。
【図７】図６に示す弁当用容器の平面図である。
【図８】図６に示す弁当用容器の使用時の状態を示す縦断面図であり、図７のVIII−VIII部位に対応する。
【考案を実施するための形態】
【００２１】
以下、本考案の一実施形態を図面に基づいて説明すると、図１〜４に示すように、実施形態の弁当用容器１は、ポリプロピレン等の合成樹脂製として、射出成型等により、一枚の湾曲したシート状として形成されている。
【００２２】
そして、この弁当用容器１は、平面視として、略長方形形状として、外周縁に上方へ突出する環状の外周リブ３を突設させ、その内側に、冷凍した食材Ｆ１〜Ｆ６を収納可能に、底壁５ａまで下狭まり状に下方へ凹む皿状凹部５を、仕切り用リブ１０を隔てて、複数並設させて構成されている。外周リブ３の頂部の上面３ａは、平らに形成されて、外周リブ３で囲まれる弁当用容器１の開口４を覆うように、ポリ塩化ビニル製やポリエステル製等の薄い合成樹脂フィルムからなるシール材１５が、溶着等を利用して、固着されることとなる。
【００２３】
実施形態の場合、皿状凹部５は、開口面積を大きくした一つの大皿状凹部６と、大皿状凹部６より開口面積を小さくした一つの中皿状凹部７と、中皿状凹部７より開口面積を小さくした複数（実施形態では四個）の小皿状凹部８と、から構成され、計六個、配設されている。
【００２４】
そして、この弁当用容器１では、一つの皿状凹部５（実施形態では大皿状凹部６）の周囲の全周を外周リブ３の一部とともに囲み、かつ、外周リブ３に連なる仕切り用リブ１０が、上面１１ａの全面を外周リブ３の上面３ａと高さを等しくし、外周リブ３から分岐するように形成されて、弁当用容器１を積み重ねた際の支柱用リブ１１と兼用として、配設されている。
【００２５】
換言すれば、仕切り用リブ１０の内で支柱用リブ１１以外のものは、その上面１０ａを支柱用リブ１１の上面１１ａより高さを低くして、皿状凹部５（中皿状凹部７や小皿状凹部８）を形成可能に、底壁５ａの外周縁から上方に突出するように、形成されている。
【００２６】
また、この支柱用リブ１１は、平面視として逆Ｌ字状に形成されるととも、Ｌの字の縦棒と横棒との交差部位１１ｂを、外周リブ３で囲まれるエリアの中心Ｏ付近に配置させて、配設されている。なお、実施形態の場合、図２に示すように、交差部位１１ｂは、中心Ｏを超えた若干右方側で、かつ、手前側から若干後方側に離れた位置に、配設されている。
【００２７】
そして、実施形態の弁当用容器１では、支柱用リブ１１で囲まれる皿状凹部５が、大皿状凹部６とし、長方形形状の開口を設けて、弁当用容器の平面視の長方形形状における四つの隅部Ｃの内の一つの隅部Ｃ１側に、配置され、また、中皿状凹部７が、長方形形状の開口を設けて、弁当用容器１の平面視の長方形形状における四つの隅部Ｃの内の大皿状凹部６を設けた隅部Ｃ１と対角となる隅部Ｃ２側に、配置されている。さらに、二個ずつの小皿状凹部８，８が、弁当用容器１の平面視の長方形形状における四つの隅部Ｃの内の、大皿状凹部６と中皿状凹部７とを設けた両隅部Ｃ１，Ｃ２を連結する対角線Ｌ１とクロスする対角線Ｌ２上の二つの隅部Ｃ３，Ｃ４側に、前後方向に並設されて、配置されている。
【００２８】
また、実施形態の弁当用容器１では、各皿状凹部５が、底壁５ａにおける外周縁から離れた中央付近を上方に隆起させ、かつ、隆起させた上面を平らにさせる底上げ部５ｂ、を設けて構成されている。実施形態の場合、底上げ部５ｂの高さｈは、約１．５ｍｍとしている（図３参照）。
【００２９】
実施形態の弁当用容器１では、各皿状凹部５内に食材Ｆ１〜Ｆ６を収納して、外周リブ３の上面３ａにシール材１５を固着させ、そして、冷凍して、積み上げても、支柱用リブ１１が配設されている。そのため、図５の示すように、外周リブ３から離れたシール材１５の部位に、上方側の弁当用容器１Ｕの荷重がかかっても、支柱用リブ１１で支持される分、シール材１５の下方への落ち込みが抑制され、シール材１５の破れを防止できて、食材Ｆ１〜Ｆ６を潰すことを防止できる。
【００３０】
したがって、実施形態の弁当用容器１では、外周リブ３に固着されるシール材１５の破損を防止することができる。
【００３１】
また、実施形態の弁当用容器１では、支柱用リブ１１の上面１１ａがシール材１５と接触しており、支柱用リブ１１で囲まれた大皿状凹部６に収納された食材Ｆ１が、支柱用リブ１１、外周リブ３、及び、シール材１５によって、密封された状態に近似した状態となり、加熱解凍する際、支柱用リブ１１で囲まれた大皿状凹部６と、これに隣接する中皿状凹部７や小皿状凹部８と、の食材Ｆ１と食材Ｆ２〜Ｆ６との臭いの行き来を、極力、抑制することができる。なお、実施形態では、支柱用リブ１１の上面１１ａには、シール材１５が固着されていないが、適宜、シール材１５を固着させてもよい。
【００３２】
そして、実施形態の弁当用容器１では、支柱用リブ１１を、平面視としてＬ字状に形成するととも、Ｌの字の縦棒と横棒との交差部位１１ｂを、外周リブ３で囲まれるエリアの中心Ｏ付近に配置させて、配設している。
【００３３】
そのため、このような構成では、支柱用リブ１１が、外周リブ３で囲まれた弁当用容器１の全体の開口４において、中心Ｏ付近から放射状の相互に直交方向の二方向に延びるように、配設され、安定して、外周リブ３に固着されたシール材１５を、障子の桟のように、下面側から支持することができる。そして、この支柱用リブ１１は、各皿状凹部５の仕切り用リブ１０の全てでなく、弁当用容器１の開口４の略１／４強のエリアを囲むように、配設されるだけであり、収納する食材Ｆ１〜Ｆ６を、全て高い支柱用リブ１１で囲うものではないことから、食す際の食材Ｆ１〜Ｆ６が見易く、食欲を阻害せず、また、食事中の食材の残りも把握し易くなって、食べ残しを防止し易い。
【００３４】
なお、実施形態では、支柱用リブ１１を左手前の隅部Ｃ１を囲うように形成したが、右手前の隅部Ｃ３を囲うように形成すれば、平面視として、Ｌ字状となることから、支柱用リブ１１は、平面視として、逆Ｌ字状若しくはＬ字状に形成することができる。
【００３５】
さらに、実施形態の弁当用容器１では、各皿状凹部５に、底壁５ａにおける外周縁から離れた中央付近を上方に隆起させ、かつ、隆起させた上面を平らにさせる底上げ部５ｂ、を設けて構成している。
【００３６】
そのため、このように構成されていれば、各皿状凹部５に収納した食材Ｆ１〜Ｆ６における電子レンジで加熱され難い中央を、底上げ部５ｂにより、上方に持ち上げて浅くすることができて、加熱し易くなり、各皿状凹部５に収納された食材Ｆ１〜Ｆ６を、それぞれ、中央付近や外周縁付近との加熱状態にバラツキを生じさせずに、均等に加熱することができる。また、底上げ部５ｂは、各皿状凹部５の剛性を向上させることにも、寄与できる。
【００３７】
さらに、実施形態の弁当用容器１では、外周リブ３を、略長方形の環状に形成して、弁当用容器１の平面視を長方形形状として構成するとともに、皿状凹部５を、開口面積を大きくした大皿状凹部６と、大皿状凹部６より開口面積を小さくした中皿状凹部７と、中皿状凹部７より開口面積を小さくした複数の小皿状凹部８と、から構成している。さらに、この弁当用容器１では、支柱用リブ１１で囲まれる皿状凹部５を、大皿状凹部６とし、長方形形状の開口を設けて、弁当用容器１の平面視の長方形形状における四つの隅部Ｃの内の一つの隅部Ｃ１側に、配置させ、かつ、中皿状凹部７を、長方形形状の開口を設けて、弁当用容器１の平面視の長方形形状における四つの隅部Ｃの内の大皿状凹部６を設けた隅部Ｃ１と対角となる隅部Ｃ２側に、配置させている。そして、この弁当用容器１では、複数（二つずつ）の小皿状凹部８，８を、弁当用容器１の平面視の長方形形状における四つの隅部Ｃの内の、大皿状凹部６と中皿状凹部７とを設けた両隅部Ｃ１，Ｃ２を連結する対角線Ｌ１とクロスする対角線Ｌ２上の二つの隅部Ｃ３，Ｃ４側に、配置させている。
【００３８】
このような構成では、中皿状凹部７を大皿状凹部６の前後左右に隣接させる場合に比べて、すなわち、中皿状凹部７を大皿状凹部６に隣接するように、後方側や右方側（この場合には、中皿状凹部７の長方形形状の短辺相互を前後方向に向ける状態となる）に配置させる場合に比べて、開口面積の大きな大皿状凹部６や中皿状凹部７の各々の前後左右に隣接する位置に、開口面積を小さくした小皿状凹部８を隣接させて、開口面積を小さくした小皿状凹部８の周囲の仕切り用リブ１０（このリブ１０は剛性を向上させることができる）を接近させて配設することができる。換言すれば、大皿状凹部６を設けた隅部Ｃ１に隣接する両隅部Ｃ３，Ｃ４をそれぞれ囲うように、中皿状凹部７や小皿状凹部８の周囲の仕切り用リブ１０が配設されて、このような仕切り用リブ１０は、支柱用リブ１１と外周リブ３とを連結し、支柱用リブ１１自体を補強しつつ、弁当用容器１の平面視の中心Ｏを基準とした前後左右において、バランスよく配置されることとなる。その結果、支柱用リブ１１と仕切り用リブ１０とにより、弁当用容器１の剛性（強度）のバランスがとり易くなって、弁当用容器１の平面視の長方形形状における前後左右で対向する縁側の両隅部相互、例えば、隅部Ｃ１，Ｃ４側と隅部Ｃ３，Ｃ２側とを、それぞれ、把持して、捻ったり、あるいは、隅部Ｃ１，Ｃ３側と隅部Ｃ２，Ｃ４側とを、それぞれ、把持して、捻っても、均等に捻ることができる。
【００３９】
換言すれば、実施形態の弁当用容器１では、食材Ｆ１〜Ｆ６を食す際に、隅部Ｃ１，Ｃ２，Ｃ３，Ｃ４のいずれ側を持っても、撓みを抑えて弁当用容器１を持ち上げることができて、安定して、食事をすることができることとなる。
【００４０】
また、支柱用リブを、平面視として逆Ｌ字状若しくはＬ字状に形成して、Ｌの字の縦棒と横棒との交差部位を、外周リブで囲まれるエリアの中心付近に配置させる場合、実施形態のように、一つとせずに、複数、設けてもよい。例えば、実施形態のように、平面視で長方形形状とした弁当用容器１では、四つの隅部Ｃ１，Ｃ２，Ｃ３，Ｃ４のそれぞれを囲うように、四つ、あるいは、三つの隅部をそれぞれ囲うように、三つ、あるいは、二つの隅部をそれぞれ囲うように、二つ、としてもよい。
【００４１】
そして、例えば、図６〜８に示すような弁当用容器１Ａのように、外周リブ３を、略長方形の環状に形成して、弁当用容器１Ａの平面視を長方形形状として構成する場合、支柱用リブ１１Ａ，１１Ａを、二つとしてもよく、この場合には、支柱用リブ１１Ａを、弁当用容器１Ａの平面視の長方形形状における一方の長辺側で隣接する両隅部Ｃ１，Ｃ３を、それぞれ、囲うように、配設している。なお、これらの支柱用リブ１１Ａの各交差部位１１ｂも、それぞれ、弁当用容器１Ａの外周リブ３で囲まれるエリアの中心Ｏ付近に配置されている。
【００４２】
また、二つの支柱用リブ１１Ａ，１１Ａの間には、支柱用リブ１１Ａで囲まれる皿状凹部（大皿状凹部）１６より小さな開口面積とした少なくとも一つの中間皿状凹部１７が、介在されるとともに、弁当用容器１Ａの平面視の長方形形状における他方の隅部Ｃ４，Ｃ２側の長辺側で、支柱用リブ１１Ａ，１１Ａと隣接して、支柱用リブ１１Ａで囲まれる大皿状凹部１６より小さな開口面積とした少なくとも三つの外縁側皿状凹部１８を、弁当用容器１Ａの平面視の長方形形状における隅部Ｃ４，Ｃ２側の長辺に沿う左右方向に沿わせて、並設させている。
【００４３】
なお、この弁当用容器１Ａでも、実施形態の弁当用容器１と同様に、ポリプロピレン等の合成樹脂から形成され、食材Ｆ１〜Ｆ５を各皿状凹部５に収納させた後、シール材１５を外周リブ３の上面３ａに固着させて、冷凍貯蔵され、そして、電磁レンジで加熱解凍して、シール材１５を剥がし、そして、食材Ｆ１〜Ｆ５を食すこととなる。そして、この弁当用容器１Ａでも、支柱用リブ１１Ａ，１１Ａにより、ずれても、シール材１５の破れや食材Ｆ１〜Ｆ５の潰れを防止できる。
【００４４】
そしてまた、このような弁当用容器１Ａでは、複数（図例では三個）の外縁側皿状凹部１８の周囲の仕切り用リブ１０Ａが、弁当用容器１Ａにおける長方形形状の他方の隅部Ｃ２，Ｃ４側の長辺側の外周リブ３と、各支柱用リブ１１Ａ，１１Ａと、を連結し、かつ、支柱用リブ１１Ａ，１１Ａ相互も、中間皿状凹部１７の周囲の仕切り用リブ１０Ｂにより、連結されることとなる。そのため、このような構成では、開口面積を大きくした支柱用リブ１１Ａで囲まれる大皿状凹部１６が、二つ配設されても、それぞれ、外周リブ３で囲まれる隅部Ｃ１，Ｃ３側に配置され、かつ、支柱用リブ１１Ａ，１１Ａ自体が、複数の外縁側皿状凹部１８，１８，１８や中間皿状凹部１７の周囲の仕切り用リブ１０Ａ，１０Ｂにより、補強される状態となることから、弁当用容器１Ａのねじりに対する剛性を確保できて、食材Ｆ１〜Ｆ５を食す際に、弁当用容器１の四隅Ｃ１，Ｃ２，Ｃ３，Ｃ４のいずれ側を持っても、撓みを抑えて弁当用容器１Ａを持ち上げることができて、安定して、食事をすることができることとなる。
【００４５】
なお、図例の弁当用容器１Ａでは、外縁側皿状凹部１８を三つ配設させた場合を示したが、相互を区画する仕切り用リブ１０Ａを支柱用リブ１１Ａや仕切り用リブ１０Ｂに連結させて、外縁側皿状凹部１８を、四つ以上、隅部Ｃ４，Ｃ２側の長辺に沿う左右方向に、並設させてもよい。
【００４６】
また、本考案の弁当用容器１，１Ａでは、支柱用リブ１１，１１Ａ，１１Ａで囲まれる皿状凹部６，１６を、一つ、若しくは、二つとして、ご飯類の主食Ｆ１を収納する部位として形成することが望ましい。このように構成すれば、それらの皿状凹部６，１６に主食Ｆ１を収納し、他の皿状凹部７，８，１７，１８に主菜Ｆ２や副菜Ｆ３〜Ｆ６を収納して冷凍貯蔵した後、加熱解凍する際、既述したように、支柱用リブ１１，１１Ａ，１１Ａで囲まれた皿状凹部６，１６と、これに隣接する皿状凹部７，８，１７，１８と、の食材Ｆ１と食材Ｆ２〜Ｆ６との臭いの行き来を、極力、抑制することができる。その結果、このような構成の弁当用容器１，１Ａでは、加熱解凍して食材を食す際、ご飯類の主食Ｆ１を、主菜Ｆ２や副菜Ｆ３〜Ｆ６の臭いの影響を抑制して、食すことができる。
【符号の説明】
【００４７】
１，１Ａ…弁当用容器、
３…外周リブ、
３ａ…（外周リブの）上面、
５…皿状凹部、
６…大皿状凹部、
７…中皿状凹部、
８…小皿状凹部、
１０，１０Ａ，１０Ｂ…仕切り用リブ、
１１，１１Ａ…支柱用リブ、
１１ａ…（支柱用リブの）上面、
１１ｂ…交差部位、
１５…シール材、
Ｏ…中心、
Ｌ１，Ｌ２…対角線、
Ｆ１，Ｆ２，Ｆ３，Ｆ４，Ｆ５，Ｆ６…食材、
Ｆ１…主食、
Ｆ２…主菜、
Ｆ３〜Ｆ６…副菜。
【図１】
0003165675.tif 000003
【図２】
0003165675.tif 000004
【図３】
0003165675.tif 000005
【図４】
0003165675.tif 000006
【図５】
0003165675.tif 000007
【図６】
0003165675.tif 000008
【図７】
0003165675.tif 000009
【図８】
0003165675.tif 000010